(57)【特許請求の範囲】
【請求項１】
サンプル、オマケ等の内容物を収納した偏平状のパッケージと小冊子とを一体的に組み合わせたパッケージ一体型付録であって、パッケージは板紙製のスリーブとこのスリーブに差し込まれる組立体とからなり、組立体は、各コーナーに切欠部が形成された段ボール製の容器本体と、容器本体の切欠部に組み合わせられる強度のある紙製のスペーサーと、容器本体のスリーブから露出する側の端面を覆う板紙製のカバー部材とを備えていることを特徴とするパッケージ一体型付録。
【請求項２】
紙製のスペーサーとして、細長状のチップボール片をミシン目線で交互に折り重ねて最終的に三角柱状としたものを用いたことを特徴とする請求項１に記載のパッケージ一体型付録。
【発明の詳細な説明】
【技術分野】
【０００１】
本発明は、サンプル、オマケ等の内容物を収納した偏平状のパッケージと小冊子とを一体的に組み合わせたパッケージ一体型付録に関するものである。
【背景技術】
【０００２】
従来より、雑誌や書籍などの本に現物見本（サンプル）などを付録として付けることがよく行われている。このうち雑誌の作成に関しては、２００１年（平成１３年）５月１日付けで発行された（社）日本雑誌協会の「雑誌作成上の留意事項」（２００１年改訂版）に留意すべき事項が記載されており、その一つとして、現物見本（サンプル）を本誌・別冊付録の広告ページおよびスポンサーとのタイアップ編集ページに掲出する場合、液体・粉体状のものは完全密封状態にし、破損しないよう重量３トンの圧力にも耐えられるものとすることが挙げられている。
【０００３】  一方、本誌の一部或いは本誌に添付する別冊付録として、サンプル、オマケ等の内容物を収納した偏平状のパッケージを用いた形態のものが利用されている。例えば、発泡プラスチック容器を使用し、その内部に設けられた貫通穴にサンプル、オマケ等の内容物を収納するとともに、その貫通穴を表カバーと裏カバーとで閉鎖し、さらにこの発泡プラスチック容器を表紙内に無線とじで綴じ込んで構成したものが知られている。【特許文献１】登録実用新案第３０８６５２２号公報
【発明の開示】
【発明が解決しようとする課題】
【０００４】
従来の技術で挙げたものは、サンプル、オマケ等の内容物を収納する容器に発泡プラスチックを使用している。発泡プラスチックはかなりの圧縮強度があるため、このパッケージを用いた本誌や別冊付録を積み重ね時にパッケージの内容物が保護されるという利点はあるが、リサイクルに供するためには廃棄時に紙と分別する必要がある。ところが、発泡プラスチック容器の両面には表カバーと裏カバーを接着剤を介して貼着しているため、これらとの分別が簡単ではない。全体を紙製にするため、容器に段ボールを利用することも考えられるが、段ボール自体は圧縮強度がそれほど強くないため、補強部材を使わないと内容物を保護しきれないという問題がある。また、段ボールの端面が露出すると見苦しいため、これを覆う部材が必要となり、製造が簡単ではないという問題もある。
【０００５】
本発明は、このような問題点に鑑みてなされたものであり、その目的とするところは、積み重ね時の圧縮強度があり、製造も比較的簡単なパッケージを備え、全体が紙製でリサイクルに適したパッケージ一体型付録を提供することにある。
【課題を解決するための手段】
【０００６】
請求項１に記載の発明であるパッケージ一体型付録は、サンプル、オマケ等の内容物を収納した偏平状のパッケージと小冊子とを一体的に組み合わせたパッケージ一体型付録であって、パッケージは板紙製のスリーブとこのスリーブに差し込まれる組立体とからなり、組立体は、各コーナーに切欠部が形成された段ボール製の容器本体と、容器本体の切欠部に組み合わせられる強度のある紙製のスペーサーと、容器本体のスリーブから露出する側の端面を覆う板紙製のカバー部材とを備えていることを特徴としている。
【０００７】
請求項２に記載の発明であるパッケージ一体型付録は、請求項１に記載のパッケージ一体型付録において、紙製のスペーサーとして、細長状のチップボール片をミシン目線で交互に折り重ねて最終的に三角柱状としたものを用いたことを特徴としている。
【発明の効果】
【０００９】
本発明のパッケージ一体型付録は、サンプル、オマケ等の内容物を収納する偏平状のパッケージが全て紙製の部材からできているので、本誌も含めて全体が紙製でリサイクルに適したものとなる。また、パッケージは、各コーナーにスペーサーを取り付けて端面をカバー部材で覆った状態の容器本体をスリーブに差し込むだけで作製できるので、製造が比較的簡単である。しかも、スペーサーにより積み重ね時の圧縮強度が高いものになるので、液体・粉体状のサンプルなどでも、破損しない状態で収納することができる。
【００１０】
そして、細長状のチップボール片をミシン目線で交互に折り重ねて最終的に三角柱状としたものをスペーサーに用いることにより、紙製でありながら厚みの調整が簡単なスペーサーを安いコストで供給することができる。
【発明を実施するための最良の形態】
【００１１】
図１は本発明に係るパッケージ一体型付録の一例を開いた状態で示す斜視図、図２は図１のパッケージ一体型付録を裏側からみた状態で示す斜視図である。
【００１２】
図１及び図２に示すパッケージ一体型付録は、化粧品等のサンプル（図示せず）を収納した偏平状のパッケージＡと小冊子Ｂとを一体的に組み合わせたものであり、小冊子Ｂには少なくとも何処かにサンプルに関連した広告が掲載されている。この例では、図示の如く、偏平状のパッケージＡの裏面側から背板部Ｃを介して表紙板Ｓを延設してあり、この表紙板Ｓに小冊子Ｂを取り付けている。小冊子Ｂは中綴タイプで、背に沿った部位で表紙板Ｓに糊付けされている。
【００１３】
偏平状のパッケージＡは、図３に示すスリーブ１０と図４の組立体２０とからなり、図４の組立体２０にサンプルを入れた状態とし、このサンプル入りの組立体を図３のスリーブ１０に挿入したものである。
【００１４】
図３のスリーブ１０は、一枚の板紙からなり、スリーブ１０を構成する偏平筒状部とそれに背板部Ｃを介して連設する表紙板Ｓとを構成するように折曲げ接着されている。スリーブ１０の表側の略中央には、コーナーが丸い横長矩形状の窓１１が形成されており、その窓１１を囲むようにして上辺外側に折り線ａと残り三辺の外側にミシン目線ｂとが形成され、これらによって窓１１の部分を含む開封領域１２が形成されている。そして、この開封領域１２の左下のところには切れ線ｃと折り線ｄによって摘み部１３が形成されている。また、窓１１にはフィルムが貼り付けられている。
【００１５】
また、スリーブ１０の裏側の略中央には、図２を見れば分かるように、コーナーが丸い縦長矩形状の開口１４が形成されており、その開口１４を囲むようにして上辺外側に折り線ｅと残り三辺の外側にミシン目線ｆとが形成され、これらによって開口１４の部分を含む開封領域１５が形成されている。そして、この開封領域１５の左下のところは切れ線ｇと折り線ｈによって摘み部１６が形成されている。この開口１４と開封領域１５は、パッケージＡに化粧品等のサンプルを入れ、それに合わせて携帯用のミラーシートを添付する時に設けるものであり、それに類似する以外の用途では特に必要はない。
【００１６】
図４の組立体２０は、図５に示すように、容器本体２１、スペーサー２２及びカバー部材２３で構成される。
【００１７】
容器本体２１は、段ボールからなるもので、サンプルを入れるための横長矩形状の貫通孔２１ａが略中央に形成されており、各コーナーに三角状の切欠部２１ｂが形成されている。ここでは、図示の如く２枚の段ボールを貼り合わせたものを使用しているが、これに限定されるものではない。
【００１８】
スペーサー２２は、容器本体２１の切欠部２１ｂに組み合わせるためのもので、この例では図６に示す形状のチップボール片Ｄをミシン目線ｉで交互に折り重ねて最終的に三角柱状としたものを使用している。このスペーサー２２は、圧縮強度があり、コストが安く、長さを変えることで厚みの調整を簡単に行える。
【００１９】
カバー部材２３は、板紙製であり、容器本体２１のスリーブ１０から露出する側の端面を覆うものである。ここでは、容器本体２１の貫通孔２１ａを下から塞ぐ役目も持たせるように、図示の如く、容器本体２１にスペーサー２２を組み合わせたものと同じサイズの底板２３ａの上下辺にそれぞれカバー板２３ｂと折曲げ板２３ｃとを連設したトレー状のカバー部材２３を使用している。また、このカバー部材２３には、スリーブ１０の裏側に開口１４を設けるのに合わせて、スリーブ１０の開口における左右の辺近くに位置するようにして半円状の切込みｊを対向状態で設けてある。この切込みｊは携帯用のミラーシートを挟み込むためのものであり、前記したようにスリーブ１０の裏側に開口１４を設けた場合に設けられる。
【００２０】
組立体２０を作製するには、カバー部材２３のカバー板２３ｂが容器本体２１の端面を覆うようにしてカバー部材２３の底板２３ａの上に容器本体２１を載せ、折曲げ板２３ｃのところを粘着テープＴで容器本体２１に固定する。そして、容器本体２１の切欠部２１ｂにスペーサー２２を差し込む。これにより、図４に示す組立体２０が形成される。このようにして作製された組立体２０の貫通孔２１ａにサンプルを入れ、このサンプル入りの組立体２０を図３に示すスリーブ１０の上方或いは下方から挿入するのである。
【００２１】
このようにして製造されたパッケージ一体型付録は、パッケージＡにおける段ボール製の容器本体２１のコーナーに強度のあるスペーサー２２があるので、積み重ね時にこのスペーサー２２が荷重を受けることになり、中のサンプルが保護される。また、容器本体２１の貫通孔２１ａに収納したサンプルをスリーブ１０に設けた窓１１から覗くことができる。
【００２２】
パッケージＡからサンプルを取り出すには、スリーブ１０の表側にある摘み部１３のところから開封領域１２を持ち上げるようにしてミシン目ｂを破断し、開封領域１２を折り線ａのところで折り曲げて開けるようにすればよい。また、ミラーシートを添付した場合にこれを取り出すには、スリーブ１０の裏側にある摘み部１６のところから開封領域１５を持ち上げるようにしてミシン目線ｆを破断し、開封領域１５を折り線ｅのところで折り曲げて開けるようにすればよい。このように開封手段を設けておくことにより、スリーブ１０から組立体２０を抜き出したりパッケージＡを壊したりしなくても、中のサンプル等を簡単に取り出すことができる。
【００２３】
以上、本発明の実施の形態について詳細に説明してきたが、本発明によるパッケージ一体型付録は、上記実施の形態に何ら限定されるものではなく、本発明の趣旨を逸脱しない範囲において種々の変更が可能であることは当然のことである。
【００２４】
例えば、上記の実施形態では、パッケージに化粧品等のサンプルを収納した場合を例に挙げたが、パッケージに収納する内容物は化粧品以外のサンプルでもよいし、別のオマケであっても構わない。すなわち、内容物はパッケージ一体型付録の使用形態によって決めらもるものである。
【図面の簡単な説明】
【００２５】
【図１】本発明に係るパッケージ一体型付録の一例を開いた状態で示す斜視図である。
【図２】図１のパッケージ一体型付録を裏側からみた状態で示す斜視図である。
【図３】図１のパッケージ一体型付録を構成するスリーブの斜視図である。
【図４】図１のパッケージ一体型付録を構成する組立体の斜視図である。
【図５】図４の組立体を分解して示す説明図である。
【図６】スペーサーとなるチップボール片の展開図である。
【符号の説明】
【００２６】
Ａ  パッケージ
Ｂ  小冊子
Ｃ  背板部
Ｄ  チップボール片
Ｓ  表紙板
１０  スリーブ
１１  窓
１２  開封領域
１３  摘み部
１４  開口
１５  開封領域
１６  摘み部
２０  組立体
２１  容器本体
２１ａ  貫通孔
２１ｂ  切欠部
２２  スペーサー
２３  カバー部材
２３ａ  底板
２３ｂ  カバー板
２３ｃ  折曲げ板
【図１】
0004761132.tif 000002
【図２】
0004761132.tif 000003
【図３】
0004761132.tif 000004
【図４】
0004761132.tif 000005
【図５】
0004761132.tif 000006
【図６】
0004761132.tif 000007